(57)【要約】【課題】ストラップの取り付け、取り外しを容易に行うことができる携帯用電子機器を提供する。【解決手段】本体部を外装し、本体部の一部を表出する開口部を有する外装部材と、外装部材に取り付けられ、開口部を開閉自在に被覆する蓋部材と、本体部のうち蓋部材によって遮蔽される遮蔽領域に設けられ、ストラップが有する取り付け用の小ループを引っ掛け可能な引っ掛け部と、を備え、少なくとも蓋部材を閉じた状態で、遮蔽領域の内部に閉じた平面領域を形成する。【選択図】        図４
2008191377.tif 000002
【特許請求の範囲】
【請求項１】
本体部を外装し、前記本体部の一部を表出する開口部を有する外装部材と、
前記外装部材に取り付けられ、前記開口部を開閉自在に被覆する蓋部材と、
前記本体部のうち前記蓋部材によって遮蔽される遮蔽領域に設けられ、ストラップが有する取り付け用の小ループを引っ掛け可能な引っ掛け部と、
前記蓋部材から突出して成り、前記蓋部材を閉じた状態で前記引っ掛け部の先端部に当接する突起部と、
を備え、
前記蓋部材を閉じた状態で、前記遮蔽領域の境界面、前記引っ掛け部および前記突起部が閉じた平面領域を形成することを特徴とする携帯用電子機器。
【請求項２】
本体部を外装し、前記本体部の一部を表出する開口部を有する外装部材と、
前記外装部材に取り付けられ、前記開口部を開閉自在に被覆する蓋部材と、
前記本体部のうち前記蓋部材によって遮蔽される遮蔽領域に、先端部が前記遮蔽領域の境界面に離間可能に設けられ、ストラップが有する取り付け用の小ループを引っ掛け可能な引っ掛け部と、
を備え、
少なくとも前記蓋部材を閉じた状態で、前記遮蔽領域の境界面および前記引っ掛け部が閉じた平面領域を形成することを特徴とする携帯用電子機器。
【請求項３】
前記小ループを延出させるための延出路をさらに備え、
前記引っ掛け部の先端部は、前記引っ掛け部の基端部に対し、少なくとも前記延出路と同じ側に位置しないことを特徴とする請求項１または２記載の携帯用電子機器。
【請求項４】
前記蓋部材は、回転によって前記開口部を開閉するものであり、当該回転の回転中心が、前記引っ掛け部と前記延出路との間に位置することを特徴とする請求項３記載の携帯用電子機器。
【発明の詳細な説明】
【技術分野】
【０００１】
本発明は、小型の携帯用電子機器に関する。
【背景技術】
【０００２】
デジタルカメラ、携帯電話、ＩＣレコーダ等の小型の携帯用電子機器には、落下を防止するために使用者の手、首、肩などを通して吊り下げるひも状のストラップを取り付け可能なストラップ取り付け部が設けられている。このようなストラップ取り付け部は、携帯用電子機器の表面に設けられるのが一般的である（例えば、特許文献１〜５を参照）。
【０００３】
【特許文献１】特開２００３−８４３５８号公報
【特許文献２】特開２００３−２７３５２９号公報
【特許文献３】特開２００３−２９５２７９号公報
【特許文献４】特開２００４−２５８２２０号公報
【特許文献５】特開２００６−３９３３２号公報
【発明の開示】
【発明が解決しようとする課題】
【０００４】
しかしながら、従来のストラップ取り付け部にストラップを取り付ける際は、ストラップの先端に設けられた取り付け用の小ループを、ストラップ取り付け部と携帯用電子機器本体との隙間に通した後、ストラップの本体部分を小ループに通すことによって結び目を形成しなければならないため、取り付けるのが容易ではなかった。また、そのように取り付けたストラップを取り外す際には、結び目を解かなければならず、容易に行うことができなかった。
【０００５】
本発明は、上記に鑑みてなされたものであって、ストラップの取り付け、取り外しを容易に行うことができる携帯用電子機器を提供することを目的とする。
【課題を解決するための手段】
【０００６】
上述した課題を解決し、目的を達成するために、本発明に係る携帯用電子機器は、本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される遮蔽領域に設けられ、ストラップが有する取り付け用の小ループを引っ掛け可能な引っ掛け部と、前記蓋部材から突出して成り、前記蓋部材を閉じた状態で前記引っ掛け部の先端部に当接する突起部と、を備え、前記蓋部材を閉じた状態で、前記遮蔽領域の境界面、前記引っ掛け部および前記突起部が閉じた平面領域を形成することを特徴とする。
【０００７】
また、本発明に係る携帯用電子機器は、本体部を外装し、前記本体部の一部を表出する開口部を有する外装部材と、前記外装部材に取り付けられ、前記開口部を開閉自在に被覆する蓋部材と、前記本体部のうち前記蓋部材によって遮蔽される遮蔽領域に、先端部が前記遮蔽領域の境界面に離間可能に設けられ、ストラップが有する取り付け用の小ループを引っ掛け可能な引っ掛け部と、を備え、少なくとも前記蓋部材を閉じた状態で、前記遮蔽領域の境界面および前記引っ掛け部が閉じた平面領域を形成することを特徴とする。
【０００８】
また、本発明に係る携帯用電子機器は、上記発明において、前記小ループを延出させるための延出路をさらに備え、前記引っ掛け部の先端部は、前記引っ掛け部の基端部に対し、少なくとも前記延出路と同じ側に位置しないことを特徴とする。
【０００９】
また、本発明に係る携帯用電子機器は、上記発明において、前記蓋部材は、回転によって前記開口部を開閉するものであり、当該回転の回転中心が、前記引っ掛け部と前記延出路との間に位置することを特徴とする。
【発明の効果】
【００１０】
本発明に係る携帯用電子機器によれば、本体部を外装する外装部材の開口部を開閉自在に被覆する蓋部材と、本体部のうち蓋部材によって遮蔽される遮蔽領域に設けられ、ストラップが有する取り付け用の小ループを引っ掛け可能な引っ掛け部と、を備え、少なくとも蓋部材を閉じた状態で、遮蔽領域の境界面や引っ掛け部などが、遮蔽領域の内部に閉じた平面領域を形成することとしたため、ストラップを取り付ける際には、小ループを引っ掛け部に引っ掛けた後、蓋部材を閉じることによって、ストラップが閉じた平面領域を１回だけ横切るように取り付けることができる。したがって、従来のストラップ取り付け部のように、ストラップ本体を小ループに通すことによって結び目を作る必要がなくなり、ストラップの取り付け、取り外しを容易に行うことが可能となる。
【発明を実施するための最良の形態】
【００１１】
以下、添付図面を参照して、本発明を実施するための最良の形態（以後、「実施の形態」と称する）を説明する。なお、以下の説明で参照する図面はあくまでも模式的なものであって、同じ物体を異なる図面で示す場合には、寸法や縮尺等が異なる場合もある。
【００１２】
（実施の形態１）
図１は、本発明の実施の形態１に係る携帯用電子機器であるデジタルカメラの外観構成を示す斜視図である。同図に示すデジタルカメラ１は、撮影レンズによって集光し結像した光を光電変換し、この光電変換で得た電気信号に所定の画像処理を加えることによって画像データを生成する装置である。デジタルカメラ１は、撮像レンズを含む撮像部１１と、ストロボ発光を行うフラッシュ１２と、撮像時に押下されるシャッターボタン１３と、デジタルカメラ１の本体部を外装する外装部材をなす二つのカバー部材１４および１５と、を備える。図１に示すデジタルカメラ１には、所定の位置にストラップＳが取り付けられている。
【００１３】
デジタルカメラ１の本体部には、撮像処理を含む諸機能を実現する部材として、デジタルカメラ１の駆動制御を行うためにＣＰＵ等を用いて構成される制御回路、ＣＣＤやＣＭＯＳ等の固体撮像素子、音声の入力や出力をそれぞれ行うマイクロフォンやスピーカ、および制御回路の制御のもと各機能部材を駆動する駆動回路などの各種電子的部材および光学的部材が収納されている（図示せず）。また、背面側のカバー部材１５には、画像情報や文字情報を表示するために液晶等のディスプレイを用いて実現される表示部や、使用者がデジタルカメラ１を操作するために必要な情報を入力する操作ボタン群などが表出している（図示せず）。ここで図示しない構成については、従来のデジタルカメラと同様の構成を有するものとしてもよい。
【００１４】
図２は、デジタルカメラ１の底面側の要部の構成を示す図である。なお、ここでいう「底面」とは、シャッターボタン１３が表出する面（上面とする）と反対側の面のことを意味している。図２に示すデジタルカメラ１の底面側には、外装部材（カバー部材１４および１５）が有する開口部を被覆する蓋部材１６が設けられている。この蓋部材１６は長方形状の表面を有しており、図２で右側の短辺部付近を回転中心として開閉される。このような開閉機構は、例えば前述した短辺部にヒンジを設けることによって実現することができる。なお、蓋部材１６は、図２に示す状態で所定のロック機構（図示せず）によって不用意に開かないようにロックされている。
【００１５】
カバー部材１４とカバー部材１５の境界のうち、底面部と側面部の境界をなす稜線部近傍には、溝状をなし、蓋部材１６によって遮蔽される遮蔽領域に通じている延出路１４５が形成されており、遮蔽領域内でデジタルカメラ１に取り付けられたストラップＳを外部へ延出させる機能を有している。この延出路１４５は、底面部と側面部の境界をなす稜線部近傍に形成されているため、使用者がデジタルカメラ１を保持する際、ストラップＳが手のひらに当たったりすることがない。したがって、使用者は、撮影時にストラップＳとの接触に起因する違和感を抱くことなく撮影に集中することができる。
【００１６】
図３は、蓋部材１６を開いた状態を示す図であり、蓋部材１６の裏面側の構成と、蓋部材１６によって外部から遮蔽される遮蔽領域の構成、およびストラップＳの本体部への取付態様を示す図である。同図に示すように、蓋部材１６の裏面側には、裏面と直交する方向に突起した突起部１６１が設けられている。また、遮蔽領域には、デジタルカメラ１の本体部の一部をなす凹部１７が形成されている。遮蔽領域の境界面の一部をなす凹部１７の底面には、フラッシュメモリ等の携帯型記憶媒体およびリチウムイオン電池等の電池をそれぞれ挿入する挿入口１８および１９と、ストラップＳを引っ掛ける引っ掛け部２０とが設けられている。
【００１７】
引っ掛け部２０は鉤型をなし、凹部１７の底面からその底面と直交する方向に延出した基端部２０ａと、基端部２０ａの先端から基端部２０ａと直交する方向に延出した先端部２０ｂとを有する。引っ掛け部２０は、剛性が高い金属または樹脂によって形成される。なお、引っ掛け部２０は、凹部１７と一体的に形成してもよいし、別部材として形成してもよい。後者の場合には、引っ掛け部２０として形成したものを凹部１７の底面に装着するようにすればよい。
【００１８】
ここで、ストラップＳの構成を説明する。ストラップＳは、デジタルカメラ１に取り付けられる小ループＳ１と、使用者が手などを通す大ループＳ２と、小ループＳ１および大ループＳ２を連結する連結部Ｓ３とを有する。このようなストラップＳとしては、例えば手、首、および肩を大ループＳ２にそれぞれ通すことによって吊り下げるタイプのハンドストラップ、ネックストラップ、およびショルダストラップがある。
【００１９】
デジタルカメラ１に取り付けられた小ループＳ１は、延出路１４５を通ってデジタルカメラ１の外部に延出している。このため、小ループＳ１の先端部付近は、蓋部材１６を閉じた状態では蓋部材１６によって遮蔽されており、デジタルカメラ１の外部からは見えない（図１および図２を参照）。
【００２０】
デジタルカメラ１に対してストラップＳを取り付ける際には、蓋部材１６を開いた状態で、まず小ループＳ１の先端を延出路１４５に通し、凹部１７の内部に進入させた後、小ループＳ１を引っ掛け部２０の先端部２０ｂに通す。この状態すなわち図３に示す状態では、小ループＳ１は引っ掛け部２０に引っ掛けられただけであるが、この後、蓋部材１６を閉じることにより、小ループＳ１がデジタルカメラ１から外れないようにすることができる。以下、この点について、図４を参照して説明する。
【００２１】
図４は、蓋部材１６を閉じた状態での遮蔽領域内部の構成を示す図であり、図２のＡ−Ａ線部分断面図である。図４において、突起部１６１の先端面は、凹部１７の底面に当接している。また、突起部１６１の側面は、引っ掛け部２０の先端部２０ｂに当接している。この状態で、引っ掛け部２０、突起部１６１、および凹部１７の底面は、閉じた平面領域Ｄ１を形成している。引っ掛け部２０に引っ掛けられた小ループＳ１は、平面領域Ｄ１を１回だけ横切っている。したがって、小ループＳ１は、蓋部材１６を閉じた状態でデジタルカメラ１から抜け止めされる。
【００２２】
このように、本実施の形態１においては、引っ掛け部２０および突起部１６１が、デジタルカメラ１の本体部のうち蓋部材１６によって遮蔽される遮蔽領域に設けられ、遮蔽領域の境界面である凹部１７とともに閉じた平面領域Ｄ１を形成する。
【００２３】
本実施の形態１においては、小ループＳ１を先端部２０ｂに引っ掛けた後、蓋部材１６を閉じることによってストラップＳを取り付けることができるので、従来のように、大ループＳ２を小ループＳ１に通して結び目を形成したりする必要がない。したがって、ストラップＳの取り付けが容易である。また、ストラップＳを取り外す際は、蓋部材１６を開いて小ループＳ１を先端部２０ｂから取り外せばよく、容易に行うことができる。
【００２４】
さらに、本実施の形態１においては、引っ掛け部２０の先端部２０ｂは、基端部２０ａに対し、少なくとも延出路１４５と同じ側に位置していない。加えて、蓋部材１６が回転するときの回転中心が、引っ掛け部２０と延出路１４５との間に位置している。このため、ストラップＳを如何なる方向に引っ張っても、蓋部材１６が開いてしまうことはない。したがって、ストラップＳがデジタルカメラ１から外れてしまうことがなく、デジタルカメラ１を確実に吊り下げることができる。
【００２５】
以上説明した本発明の実施の形態１に係る携帯用電子機器によれば、本体部を外装する外装部材の開口部を開閉自在に被覆する蓋部材と、本体部のうち蓋部材によって遮蔽される遮蔽領域に設けられ、ストラップが有する取り付け用の小ループを引っ掛け可能な引っ掛け部と、蓋部材から突出して成り、蓋部材を閉じた状態で引っ掛け部の先端部に当接する突起部と、を備え、蓋部材を閉じた状態で、遮蔽領域の境界面、引っ掛け部および突起部が閉じた平面領域を形成することとしたため、ストラップを取り付ける際には、小ループを引っ掛け部に引っ掛けた後、蓋部材を閉じることによって、ストラップが閉じた平面領域を１回だけ横切るように取り付けることができる。したがって、従来のストラップ取り付け部のように、ストラップ本体を小ループに通すことによって結び目を作る必要がなくなり、ストラップの取り付け、取り外しを容易に行うことが可能となる。
【００２６】
また、本実施の形態１によれば、小ループを延出させるための延出路をさらに備え、引っ掛け部の先端部が、引っ掛け部の基端部に対し、少なくとも延出路と同じ側に位置しないこととしたため、蓋部材を閉じた状態で、取り付けたストラップが本体部から外れてしまうおそれがない。
【００２７】
また、本実施の形態１によれば、蓋部材が、回転によって開口部を開閉するものであり、回転の回転中心が、引っ掛け部と延出部との間に位置することとしたため、ストラップによる力を受けて蓋部材が不用意に開いてしまうようなことがない。したがって、取り付けたストラップが本体部から外れてしまうおそれがない。
【００２８】
さらに、本実施の形態１によれば、ストラップの取り付け部分が蓋部材によって遮蔽されているため、取り付け部分が外部に露出することがない。したがって、ストラップを取り付けても、その取り付け部分によって機器全体の美観が損われてしまうことがない。加えて、ストラップを取り付けない使用者は、ストラップ取り付け部の存在を気にしないで済む。
【００２９】
また、本実施の形態１によれば、取り付けられたストラップは、略直方体状をなす外装部材底面の稜線部付近から外部へ延出するため、使用者が撮影する際にデジタルカメラを保持してもストラップ取り付け部やストラップが使用者の手のひらにあたって気を取られることもない。したがって、ストラップを取り付けても、良好な操作感を維持することができるとともに、撮影に集中することができる。
【００３０】
（実施の形態１の変形例）
図５は、本実施の形態１の第１変形例に係る携帯用電子機器であるデジタルカメラの要部の構成を示す図であり、デジタルカメラの底面に設けられた蓋部材を開いた状態を示す図である。同図に示すデジタルカメラ１−１は、ストラップＳを引っ掛ける引っ掛け部の構成を除いて、デジタルカメラ１と同じ構成を有している。このため、デジタルカメラ１と同じ構成部位については、図３と同じ符号を付してある。
【００３１】
図６は、蓋部材１６を閉じた状態で、蓋部材１６によって遮蔽される遮蔽領域の構成を示す図であり、上記実施の形態１で説明した図４に対応する部分断面図である。図５および図６に示すように、引っ掛け部２１は、凹部１７の底面からその底面と直交する方向に延出した基端部２１ａと、引っ掛け部２１の先端部に設けられ、基端部２１ａの軸線と一致する中心軸を有する円盤部２１ｂとを備え、ビス状をなす。引っ掛け部２１は、剛性が高い金属または樹脂から成る。
【００３２】
図６において、突起部１６１の先端面が凹部１７の底面に当接するとともに、突起部１６１の側面が引っ掛け部２１の円盤部２１ｂに当接している。この状態で、引っ掛け部２１、突起部１６１、および凹部１７の底面は、閉じた平面領域Ｄ２を形成している。引っ掛け部２１に引っ掛けられた小ループＳ１は、平面領域Ｄ２を１回だけ横切っている。したがって、小ループＳ１は、蓋部材１６を閉じた状態で、デジタルカメラ１−１から抜け止めされる。
【００３３】
この第１変形例も、上記実施の形態１と同様に、取り付けたストラップＳを如何なる方向に引っ張っても蓋部材１６が開いてしまうことがない構成を有しているため、ストラップＳがデジタルカメラ１−１から外れてしまうことがなく、デジタルカメラ１−１を確実に吊り下げることができる。
【００３４】
図７は、本実施の形態１の第２変形例に係る携帯用電子機器であるデジタルカメラの要部の構成を示す図であり、デジタルカメラの底面に設けられた蓋部材を開いた状態を示す図である。同図に示すデジタルカメラ１−２は、蓋部材２２および引っ掛け部２３を除いて、デジタルカメラ１と同じ構成を有している。このため、デジタルカメラ１と同じ構成部位については、図３と同じ符号を付してある。
【００３５】
引っ掛け部２３は鉤型をなし、凹部１７の底面からその底面と直交する方向に延出した基端部２３ａと、基端部２３ａの先端から基端部２３ａと直交する方向に延出した先端部２３ｂとを有する。引っ掛け部２３は、剛性が高い金属または樹脂から成る。
【００３６】
この第２変形例では、先端部２３ｂの延出方向が、上記実施の形態１とは異なり、デジタルカメラ１−２の底面の幅方向（図７の上下方向）を指向している。このため、蓋部材２２に形成される突起部２２１は、蓋部材２２を閉じた状態で、先端部２３ｂの先端に当接可能な態様で突起している。
【００３７】
図７に示す状態から蓋部材２２を閉じると、突起部２２１の先端面が凹部１７の底面に当接するとともに、突起部２２１の側面（図７の上面）が、引っ掛け部２３の先端部２３ｂに当接する。この状態で、引っ掛け部２３、突起部２２１、および凹部１７の底面は、上述した実施の形態１と同様に、閉じた平面領域（図示せず）を形成する。引っ掛け部２３に引っ掛けられた小ループＳ１は、蓋部材２２を閉じることによって形成された平面領域を１回だけ横切ることによって、デジタルカメラ１−２から抜け止めされる。
【００３８】
この第２変形例も、上記実施の形態１と同様に、取り付けたストラップＳを如何なる方向に引っ張っても蓋部材２２が開いてしまうことがない構成を有しているため、ストラップＳがデジタルカメラ１−２から外れてしまうことがなく、ストラップＳによってデジタルカメラ１−２を確実に吊り下げることができる。
【００３９】
以上説明した本実施の形態１の二つの変形例によれば、上記実施の形態１と同様、ストラップの取り付け、取り外しを容易に行うことが可能な携帯用電子機器を提供することができる。
【００４０】
（実施の形態２）
図８は、本発明の実施の形態２に係る携帯用電子機器であるデジタルカメラの外観構成を示す図である。同図に示すデジタルカメラ３は、撮像部３１、フラッシュ３２、およびシャッターボタン３３を備える。また、デジタルカメラ３は、デジタルカメラ３の本体部を外装する外装部材をなす二つのカバー部材３４および３５を備える。なお、図８の背面側の構成、および本体部の機能構成は、上記実施の形態１に係るデジタルカメラ１と同様である。
【００４１】
デジタルカメラ３の本体部を外装する外装部材は、その側面に開口部を有している。なお、ここでいう「側面」とは、撮像部３１が表出する前面およびシャッターボタン３３が表出する上面とそれぞれ交差する面（図８の場合には直交する面）を意味している。開口部を有する外装部材の側面には、その開口部を開閉自在に被覆する蓋部材３６が設けられている。蓋部材３６は、長方形状の表面を有しており、図８で左側の長辺部付近を回転中心として開閉される。このような開閉機構は、例えば長辺部にヒンジを設けることによって実現することができる。なお、蓋部材３６は、図８に示す状態で所定のロック機構（図示せず）によって不用意に開かないようにロックされている。
【００４２】
デジタルカメラ３に取り付けられたストラップＳは、カバー部材３４とカバー部材３５との境界を含む領域に形成された延出路３４５を通ってデジタルカメラ３の外部に延出している。このため、小ループＳ１の先端部付近は、蓋部材３６を閉じた状態では蓋部材３６によって遮蔽されており、デジタルカメラ３の外部からは見えない。
【００４３】
次に、蓋部材３６によって遮蔽されている遮蔽領域の構成を説明する。図９は、蓋部材３６を開いた状態を示す図であり、ストラップＳの取り付け態様を示す図である。図９において、蓋部材３６の裏面側には、裏面と直交する方向に突起した突起部３６１が設けられている。また、遮蔽領域には、デジタルカメラ３の本体部の一部をなす凹部３７が形成されている。遮蔽領域の境界面の一部をなす凹部３７の底面には、携帯型記憶媒体および電池をそれぞれ挿入する挿入口３８および３９と、ストラップＳを取り付ける引っ掛け部４０とが設けられている。引っ掛け部４０は、剛性が高い金属または樹脂によって形成される。
【００４４】
引っ掛け部４０は、図５に示す引っ掛け部２１と同様、基端部４０ａおよび円盤部４０ｂを有し、ビス状をなす（基端部４０ａは図示せず）。蓋部材３６を閉じた状態で、突起部３６１の先端面は、凹部３７の底面に当接する。また、蓋部材３６を閉じた状態で、突起部３６１の側面（図９では下方に位置する面）は、引っ掛け部４０の先端部に設けられた円盤部４０ｂに当接する。この状態で、引っ掛け部４０、突起部３６１、および凹部３７の底面は、閉じた平面領域を形成する。なお、蓋部材３６を閉じた状態における遮蔽領域内部の状態は、図６と同様であり、形成される平面領域は、図６の平面領域Ｄ２と同様である。引っ掛け部４０に引っ掛けられた小ループＳ１は、その平面領域を１回だけ横切ることにより、デジタルカメラ３から抜け止めされる。
【００４５】
本実施の形態２においては、ストラップＳの小ループＳ１を引っ掛け部４０の円盤部４０ｂに引っ掛けた後、蓋部材３６を閉じることによってストラップＳを取り付けることができるので、ストラップＳの取り付けが容易である。また、ストラップＳを取り外す際は、蓋部材３６を開いて小ループＳ１を円盤部４０ｂから取り外せばいいだけなので、取り外すのも容易である。
【００４６】
さらに、本実施の形態２においては、蓋部材３６を閉じた状態における引っ掛け部４０と突起部３６１との当接箇所が、引っ掛け部４０の基端部４０ａに対し、少なくとも延出路３４５と同じ側に位置しない。したがって、ストラップＳがデジタルカメラ１から外れてしまうことがなく、ストラップＳによってデジタルカメラ１を確実に吊り下げることができる。
【００４７】
以上説明した本発明の実施の形態２に係る携帯用電子機器によれば、本体部を外装する外装部材の開口部を開閉自在に被覆する蓋部材と、本体部のうち蓋部材によって遮蔽される遮蔽領域に設けられ、ストラップが有する取り付け用の小ループを引っ掛け可能な引っ掛け部と、蓋部材から突出して成り、蓋部材を閉じた状態で引っ掛け部の先端部に当接する突起部と、を備え、蓋部材を閉じた状態で、遮蔽領域の境界面、引っ掛け部および突起部が閉じた平面領域を形成することとしたため、ストラップを取り付ける際には、小ループを引っ掛け部に引っ掛けた後、蓋部材を閉じることによって、ストラップが閉じた平面領域を１回だけ横切るように取り付けることができる。したがって、従来のストラップ取り付け部のように、ストラップ本体を小ループに通すことによって結び目を作る必要がなくなり、ストラップの取り付け、取り外しを容易に行うことが可能となる。
【００４８】
また、本実施の形態２によれば、蓋部材を閉じた状態での引っ掛け部と突起部との当接箇所は、引っ掛け部の基端部に対し、少なくとも延出路と同じ側に位置しないこととしたため、蓋部材を閉じた状態で、取り付けたストラップが本体部から外れてしまうおそれがない。
【００４９】
なお、上述した引っ掛け部の構成はあくまでも一例に過ぎず、上記実施の形態１と同様に、鉤型をなす引っ掛け部を設けることも可能である。
【００５０】
（実施の形態３）
図１０は、本発明の実施の形態３に係る携帯用電子機器であるデジタルカメラの要部の構成を示す図である。同図に示すデジタルカメラ５は、引っ掛け部と蓋部材の構成が、上述した実施の形態１と異なる。なお、引っ掛け部と蓋部材の構成を除くデジタルカメラ５の構成は、上記実施の形態１に係るデジタルカメラ１と同じである。このため、デジタルカメラ１と同じ構成部位については、図３と同じ符号を付してある。
【００５１】
引っ掛け部５１は、遮蔽領域の境界面である凹部１７の底面に対して離間可能に設けられた先端部５１ａと、凹部１７の底面に固着されている基端部５１ｂとを有し、波状に湾曲した板状部材から成る。引っ掛け部５１は、可撓性を有する材料を用いて形成される。このため、引っ掛け部５１に外力が加わって撓むことにより、先端部５１ａが凹部１７の底面から離間する一方、その外力が引っ掛け部５１に加わらなくなると、自身の復元力によってもとの状態、すなわち凹部１７の底面に当接した状態に戻る。
【００５２】
図１１は、平板状をなす蓋部材５２を閉じた状態で、蓋部材５２によって遮蔽されている遮蔽領域の構成を示す図である。同図に示すように、引っ掛け部５１の先端部５１ａは、小ループＳ１の取り付け、取り外しが容易となるように、凹部１７の底面との当接部分を中心として凹部１７の底面に対して反り返った態様で湾曲している。
【００５３】
上述した構成を有する引っ掛け部５１は、先端部５１ａが凹部１７の底面に当接した状態で、遮蔽領域の境界面の一部をなす凹部１７の底面と閉じた平面領域Ｄ３を形成している。したがって、引っ掛け部５１に係合された小ループＳ１は、平面領域Ｄ３を１回だけ横切ることにより、デジタルカメラ５から抜け止めされる。
【００５４】
このように、本実施の形態３においては、引っ掛け部５１が、デジタルカメラ５の本体部のうち蓋部材５２によって遮蔽される遮蔽領域に設けられ、遮蔽領域の境界面である凹部１７とともに閉じた平面領域Ｄ３を形成している。
【００５５】
図１２は、小ループＳ１の引っ掛け部５１への取り付け方法を模式的に示す図である。まず、延出路１４５を通して遮蔽領域に進入させた小ループＳ１を、引っ掛け部５１を基準として延出路１４５のある側と反対側（図１２で左側）から引っ掛け部５１の先端部５１ａに近づけていく（状態（I））。延出路１４５の方向（図１２の略右方向）にストラップＳを引っ張ると、小ループＳ１が先端部５１ａに接触し始め、先端部５１ａが凹部１７の底面から離間する（状態（II））。その後、さらに小ループＳ１を延出路１４５の方向に引っ張り続けると、小ループＳ１は平面領域Ｄ３内に入り、引っ掛け部５１に係合される（状態（III））。このようにして、小ループＳ１を引っ掛け部５１に対して容易に取り付けることができる。
【００５６】
ストラップＳをデジタルカメラ５から取り外す際は、図１２で説明したのと逆の操作を行うことによって小ループＳ１を引っ掛け部５１から取り外せばよく、容易に行うことができる。
【００５７】
本実施の形態３においては、先端部５１ａは、ストラップＳを取り付けた状態で、引っ掛け部５１の先端部５１ａは、引っ掛け部５１の基端部に対し、少なくとも延出路１４５と同じ側に位置しない。加えて、蓋部材５２の回転中心が、引っ掛け部５１と延出路１４５との間に位置する構成を有している。このため、蓋部材５２を閉じた状態でストラップＳを如何なる方向に引っ張っても、蓋部材５２が開いてしまうことはない。したがって、ストラップＳがデジタルカメラ５から外れてしまうことがなく、ストラップＳによってデジタルカメラ５を確実に吊り下げることができる。
【００５８】
以上説明した本発明の実施の形態３に係る携帯用電子機器によれば、本体部のうち蓋部材によって遮蔽される遮蔽領域に、先端部が遮蔽領域の境界面と離間可能に設けられ、ストラップが有する取り付け用の小ループを引っ掛け可能な引っ掛け部と、を備え、少なくとも蓋部材を閉じた状態で、遮蔽領域の境界面および引っ掛け部が閉じた平面領域を形成することとしたため、ストラップを取り付ける際には、小ループを引っ掛け部に引っ掛けることによって、ストラップが閉じた平面領域を１回だけ横切るように取り付けることができる。したがって、従来のストラップ取り付け部のように、ストラップ本体を小ループに通すことによって結び目を作る必要がなくなり、ストラップの取り付け、取り外しを容易に行うことが可能となる。
【００５９】
また、本実施の形態３によれば、引っ掛け部の先端部が、引っ掛け部の基端部に対し、少なくとも延出路と同じ側に位置しないため、蓋部材を閉じた状態で、取り付けたストラップが本体部から外れてしまうおそれがない。
【００６０】
なお、引っ掛け部として、上述した引っ掛け部５１以外の形状を有するものを適用することも可能である。例えば、引っ掛け部の先端部を先細形状とすることも可能である。これにより、小ループＳ１を引っ掛けて係合するのが容易となる。また、引っ掛け部を、ペンのクリップのような細長形状とすることも可能である。
【００６１】
（実施の形態４）
図１３は、本発明の実施の形態４に係る携帯用電子機器であるデジタルカメラの底面側の要部の構成を示す図である。同図に示すデジタルカメラ６は、引っ掛け部および凹部の底面が、上記実施の形態３に係るデジタルカメラ５と異なる構成を有する。なお、引っ掛け部および凹部の底面を除くデジタルカメラ６の構成は、デジタルカメラ５の構成と同じである。このため、図１３でデジタルカメラ５と同じ構成部位については、図１１と同じ符号を付してある。
【００６２】
引っ掛け部６１は、遮蔽領域の境界面に対して離間可能な先端部６１ａと、フランジが形成され、凹部１７の底面に設けられた段付き形状の孔部１７１に抜け止めされた状態で、凹部１７の底面と垂直な方向に移動可能に保持されている基端部６１ｂと、を有する。引っ掛け部６１は、その側面がＵ字状をなす棒状または板状の部材である。
【００６３】
先端部６１ａは、平板状の蓋部材５２を閉じた状態すなわち図１３に示す状態で、遮蔽領域の境界の一部をなす凹部１７の底面に当接しており、引っ掛け部６１は、凹部１７の底面と閉じた平面領域Ｄ４を形成している。また、基端部６１ｂは、板ばね６２によって蓋部材５２の方向に付勢されている。
【００６４】
図１４は、蓋部材５２を開いた状態で、デジタルカメラ６の底面側の要部の構成を示す図である。蓋部材５２を開くと、基端部６１ｂは板ばね６２の弾性力によって蓋部材５２の方向へ押し出される。この結果、先端部６１ａは凹部１７の底面から離間して隙間を生じる。この隙間は、小ループＳ１を通過させることができる程度の幅を有している。
【００６５】
図１４に示す状態で、先端部６１ａと凹部１７の底面との隙間から小ループＳ１を引っ掛けた後、蓋部材５２を閉じると、先端部６１ａが凹部１７の底面に当接し、図１３に示す状態となる。このようにして、平面領域Ｄ４を１回だけ横切るように引っ掛けられた小ループＳ１は、蓋部材５２を閉じている間は、引っ掛け部６１から外れてしまうことがない。
【００６６】
本実施の形態４において、先端部６１ａは、基端部６１ｂに対し、少なくとも延出路１４５と同じ側に位置していない。加えて、蓋部材５２の回転中心が、引っ掛け部６１と延出路１４５との間に位置する構成を有している。このため、蓋部材５２を閉じた状態でストラップＳを如何なる方向に引っ張っても、蓋部材５２が開いてしまうことはない。したがって、ストラップＳがデジタルカメラ６から外れてしまうことがなく、ストラップＳによってデジタルカメラ６を確実に吊り下げることができる。
【００６７】
以上説明した本発明の実施の形態４に係る携帯用電子機器によれば、本体部のうち蓋部材によって遮蔽される遮蔽領域に、先端部が遮蔽領域の境界面と離間可能に設けられ、ストラップが有する取り付け用の小ループを引っ掛け可能な引っ掛け部と、を備え、少なくとも蓋部材を閉じた状態で、遮蔽領域の境界面および引っ掛け部が閉じた平面領域を形成することとしたため、ストラップを取り付ける際には、小ループを引っ掛け部に引っ掛けた後、蓋部材を閉じることによって、ストラップが閉じた平面領域を１回だけ横切るように取り付けることができる。したがって、従来のストラップ取り付け部のように、ストラップ本体を小ループに通すことによって結び目を作る必要がなくなり、ストラップの取り付け、取り外しを容易に行うことが可能となる。
【００６８】
また、本実施の形態４によれば、引っ掛け部の先端部が、引っ掛け部の基端部に対し、少なくとも前記延出路と同じ側に位置しないため、蓋部材を閉じた状態で、取り付けたストラップが本体部から外れてしまうおそれがない。
【００６９】
なお、引っ掛け部を付勢するのは板ばね以外の弾性部材でもよく、例えば膜状のゴムなどを適用してもよい。また、弾性部材によって引っ掛け部を付勢する構造とする代わりに、クリック機構によって引っ掛け部の先端部の凹部底面に対する離間や当接を行うようにしてもよい。
【００７０】
（その他の実施の形態）
ここまで、本発明を実施するための最良の形態として、実施の形態１〜４を詳述してきたが、本発明はそれら４つの実施の形態によってのみ限定されるべきものではない。例えば、本発明に係る携帯用電子機器は、デジタルカメラ以外の各種携帯用カメラ、携帯電話、ＰＨＳまたはＰＤＡ等の携帯型通信端末、携帯型オーディオ装置、ＩＣレコーダ、携帯型ラジオ、各種家電製品のリモコン、デジタルビデオなどでもよい。
【００７１】
また、本発明に係る携帯用電子機器が、外部機器との接続用インターフェース（ＤＣ入力端子やＵＳＢ接続端子等を含む）を蓋部材で被覆する構成を有する場合には、その接続用インターフェースを被覆する領域にストラップ取り付け部を設けてもよい。
【００７２】
なお、本発明に係る携帯用電子機器に取り付けるストラップは、取り付け用の小ループを有していればよく、例えば装飾部材が連結部に連結された装飾用のストラップでも構わない。
【００７３】
このように、本発明は、ここでは記載していない様々な実施の形態等を含みうるものであり、特許請求の範囲により特定される技術的思想を逸脱しない範囲内において種々の設計変更等を施すことが可能である。
【図面の簡単な説明】
【００７４】
【図１】本発明の実施の形態１に係る携帯用電子機器（デジタルカメラ）の外観構成を示す斜視図である。
【図２】本発明の実施の形態１に係る携帯用電子機器（デジタルカメラ）の底面側の要部の構成を示す図である。
【図３】図２に示す状態から蓋部材を開いた状態を示す図である。
【図４】本発明の実施の形態１に係る携帯用電子機器（デジタルカメラ）において、蓋部材を閉じた状態で蓋部材によって遮蔽される領域の構成を示す図である。
【図５】本発明の実施の形態１の第１変形例に係る携帯用電子機器（デジタルカメラ）の要部の構成を示す図である。
【図６】本発明の実施の形態１の第１変形例に係る携帯用電子機器（デジタルカメラ）において、蓋部材を閉じた状態で蓋部材によって遮蔽される領域の構成を示す図である。
【図７】本発明の実施の形態１の第２変形例に係る携帯用電子機器（デジタルカメラ）の要部の構成を示す図である。
【図８】本発明の実施の形態２に係る携帯用電子機器（デジタルカメラ）の外観構成を示す図である。
【図９】本発明の実施の形態２に係る携帯用電子機器（デジタルカメラ）の側面に設けられた蓋部材を開いた状態を示す図である。
【図１０】本発明の実施の形態３に係る携帯用電子機器（デジタルカメラ）の要部の構成を示す図である。
【図１１】本発明の実施の形態３に係る携帯用電子機器（デジタルカメラ）において、蓋部材を閉じた状態で蓋部材によって遮蔽される領域の構成を示す図である。
【図１２】本発明の実施の形態３に係る携帯用電子機器（デジタルカメラ）におけるストラップ取り付け方法の概要を示す図である。
【図１３】本発明の実施の形態４に係る携帯用電子機器（デジタルカメラ）の要部の構成を示す図である。
【図１４】本発明の実施の形態４に係る携帯用電子機器（デジタルカメラ）において、蓋部材を開いた状態の要部の構成を示す図である。
【符号の説明】
【００７５】
１，１−１，１−２，３，５，６  デジタルカメラ（携帯用電子機器）
１１，３１  撮像部
１２，３２  フラッシュ
１３，３３  シャッターボタン
１４，１５，３４，３５  カバー部材
１６，２２，３６，５２  蓋部材
１７，３７  凹部
１８，１９，３８，３９  挿入口
２０，２１，２３，４０，５１，６１  引っ掛け部
２０ａ，２１ａ，２３ａ，４０ａ，５１ｂ，６１ｂ  基端部
２０ｂ，２３ｂ，５１ａ，６１ａ  先端部
２１ｂ，４０ｂ  円盤部
１４５，３４５  延出路
１６１，２２１，３６１  突起部
１７１  孔部
Ｄ１，Ｄ２，Ｄ３，Ｄ４  平面領域
Ｓ  ストラップ
Ｓ１  小ループ
Ｓ２  大ループ
Ｓ３  連結部
【図１】
2008191377.tif 000003
【図２】
2008191377.tif 000004
【図３】
2008191377.tif 000005
【図４】
2008191377.tif 000006
【図５】
2008191377.tif 000007
【図６】
2008191377.tif 000008
【図７】
2008191377.tif 000009
【図８】
2008191377.tif 000010
【図９】
2008191377.tif 000011
【図１０】
2008191377.tif 000012
【図１１】
2008191377.tif 000013
【図１２】
2008191377.tif 000014
【図１３】
2008191377.tif 000015
【図１４】
2008191377.tif 000016